(57)【特許請求の範囲】
【請求項１】
第１のＣＰＵを利用して動作する受信手段と、第２のＣＰＵを利用して動作するピクト画像選択手段と、フレームバッファに記憶された画像を表示する表示手段とを有する移動通信端末装置であって、
前記受信手段は、間欠起床して、その間欠起床の度に次の（ａ）〜（ｅ）からなる間欠受信動作を実行し、
（ａ）基地局から送信された電波を受信し、その受信された電波の品質を測定し、
（ｂ）前記測定された品質及び過去の所定回数の間欠受信動作の際に測定された品質との加重平均値を算出し、
（ｃ）前記算出された加重平均値を所定の閾値と比較することによって品質レベルを決定し、前記決定された品質レベルと前記ピクト画像選択手段に前回送信された品質レベルとの差が２レベル以上の場合、その差が１となるように前記決定された品質レベルを変更し、
（ｄ）前記決定された品質レベルが前記ピクト画像選択手段に前回送信された品質レベルと異なる場合、前記第２のＣＰＵを起動させ、前記変更された品質レベルを前記ピクト画像選択手段に送信し、
（ｅ）前記第１のＣＰＵの動作を停止させ、
前記ピクト画像選択手段は、前記受信手段から送信された品質レベルを受信した場合、その受信された品質レベルに対応する画像を選択し、その選択された画像を前記フレームバッファに記憶させ、前記第２のＣＰＵの動作を停止させる
ことを特徴とする移動通信端末装置。
【請求項２】
前記受信手段が前記品質レベルを決定する際、前記算出された加重平均値が前回の間欠受信動作の際に算出された加重平均値より大である場合に用いられる閾値は、前記算出された加重平均値が前回の間欠受信動作の際に算出された加重平均値より小である場合に用いられる閾値より大きく、前記品質レベルの決定はヒステリシス特性を有する
ことを特徴とする請求項１に記載の移動通信端末装置。
【発明の詳細な説明】
【技術分野】
【０００１】
本発明は、移動通信端末装置に係り、特に、２つのＣＰＵ（Central Processing Unit）を備える移動通信端末装置が消費する電力の削減処理に関する。
【背景技術】
【０００２】
通信系の動作に用いられる通信ＣＰＵと、表示を含むユーザインターフェース動作に用いられるユーザインターフェースＣＰＵとの２つのＣＰＵを有する移動通信端末装置が知られている。通信ＣＰＵは通信動作を行う場合に起動され、ユーザインターフェースＣＰＵは表示を含むユーザとの対話動作を行う場合に起動され、それぞれの動作が終わった場合、それぞれのＣＰＵは、クロックの低速度化などによって消費電力を削減することが知られている。
【０００３】
装置が待ち受け状態にある、即ち、ユーザの意思による通信動作が行われていず、かつ、ユーザとの対話動作が行われていない場合であっても、通信ＣＰＵは、間欠起床して間欠受信動作を行う必要がある。即ち、基地局から送信された電波の品質、例えば、強度や、信号対雑音比を測定し、測定された電波の品質と所定の閾値との比較によってその電波の品質レベルを決定し、決定された電波品質レベルをユーザインターフェースＣＰＵへ送信する。この間欠受信の際、通信ＣＰＵは動作する。
【０００４】
そして、ユーザインターフェースＣＰＵは、決定された電波品質レベルに対応する画像を表示部のピクト欄に表示させる。この表示をさせるために、ユーザインターフェースＣＰＵは動作する。
【０００５】
ここで、間欠受信の際に２つのＣＰＵによって消費される電力は、特に削減が求められる。なぜなら、装置が待ち受け状態にある時間は長いからである。そこで、通信ＣＰＵからユーザインターフェースＣＰＵへの送信動作の回数は少ない方が好ましく、通信ＣＰＵは、決定された電波品質レベルが前回の間欠受信の際に決定された電波品質レベルと異なる場合に限って、決定された電波品質レベルをユーザインターフェースＣＰＵへ送信する処理が知られている（例えば、特許文献１参照。）。
【特許文献１】特開２００３−２４４３１６号公報（第１０頁、図２、図１６）
【発明の開示】
【発明が解決しようとする課題】
【０００６】
しかしながら、上述した特許文献１に開示されている方法では、電波の品質が所定の閾値付近でわずかに変化し、その結果、閾値の上下間に変化した場合であっても、決定された電波品質レベルが変化する。そのため、決定された電波品質レベルをユーザインターフェースＣＰＵへ送信する処理が頻繁に行われることがあり、消費電力の増大を招く問題点があった。更に、ユーザインターフェースＣＰＵは、常に通信ＣＰＵから送信される決定された電波品質レベルを受信するように動作しているので、常に電力を消費する問題点があった。
【０００７】
本発明は、上記問題点を解決するためになされたもので、より少ない消費電力によって、電波品質レベルに対応する画像を表示部のピクト欄に表示させることを目的とする。
【課題を解決するための手段】
【０００８】
上記目的を達成するために、本発明の移動通信端末装置は、第１のＣＰＵを利用して動作する受信手段と、第２のＣＰＵを利用して動作するピクト画像選択手段と、フレームバッファに記憶された画像を表示する表示手段とを有する移動通信端末装置であって、前記受信手段は、間欠起床して、その間欠起床の度に次の（ａ）〜（ｅ）からなる間欠受信動作を実行し、（ａ）基地局から送信された電波を受信し、その受信された電波の品質を測定し、（ｂ）前記測定された品質及び過去の所定回数の間欠受信動作の際に測定された品質との加重平均値を算出し、（ｃ）前記算出された加重平均値を所定の閾値と比較することによって品質レベルを決定し、前記決定された品質レベルと前記ピクト画像選択手段に前回送信された品質レベルとの差が２レベル以上の場合、その差が１となるように前記決定された品質レベルを変更し、（ｄ）前記決定された品質レベルが前記ピクト画像選択手段に前回送信された品質レベルと異なる場合、前記第２のＣＰＵを起動させ、前記変更された品質レベルを前記ピクト画像選択手段に送信し、（ｅ）前記第１のＣＰＵの動作を停止させ、前記ピクト画像選択手段は、前記受信手段から送信された品質レベルを受信した場合、その受信された品質レベルに対応する画像を選択し、その選択された画像を前記フレームバッファに記憶させ、前記第２のＣＰＵの動作を停止させることを特徴とする。
【発明の効果】
【０００９】
本発明によれば、より少ない消費電力によって、電波品質レベルに対応する画像を表示部のピクト欄に表示させることができる。
【発明を実施するための最良の形態】
【００１０】
以下に、本発明による移動通信端末装置の実施の形態を、図面を参照して説明する。図１は、本発明の実施形態に係わる移動通信端末装置の構成を示すブロック図である。この移動通信端末装置は、通信系処理部１０と、ＵＩ（User Interface）系処理部２０とからなる。通信系処理部１０は通信制御部１１を含み、ＵＩ系処理部２０はＵＩ制御部２１を含む。そして、通信制御部１１と、ＵＩ制御部２１とは接続されている。
【００１１】
図２は、通信系処理部１０の構成を示すブロック図である。この通信系処理部１０は、通信系処理部１０全体の制御を行い、ＵＩ制御部２１と接続される通信制御部１１と、基地局（図示せず）との間で電波の送受を行うアンテナ１２ａと、通信部１２ｂと、送受信部１３と、受話音声発生用のスピーカ１４ａと、送話音声入力用のマイクロフォン１４ｂと、通話部１４ｃと、間欠受信部１５と、電波品質レベル決定部１６と、電波品質データ記憶部１７とを備える。電波品質データ記憶部１７には、電波品質履歴１７ａと、品質レベル閾値１７ｂと、品質レベル履歴１７ｃとが記憶される。
【００１２】
更に、この通信系処理部１０は、通信系ＣＰＵ１０−２と、電源処理部１０−３とを備える。そして、通信制御部１１と、間欠受信部１５と、電波品質レベル決定部１６と、電源処理部１０−３とは、通信系ＣＰＵ１０−２を利用するプログラムによって構成される。これらの通信系ＣＰＵ１０−２を利用する各部が動作しない場合、通信系ＣＰＵ１０−２は、動作を停止する。そして、これらの各部が動作を開始する際、通信系ＣＰＵ１０−２は、起動されて動作を開始する。
【００１３】
電源処理部１０−３は、ＵＩ系処理部２０を構成する各部を含む装置の各部であって、動作している各部がある場合、動作している各部へ充電地（図示せず）に蓄えられた電力を供給する制御を行う。このため、ＵＩ系処理部２０を構成する各部が動作する場合、通信系処理部１０を構成する各部が動作しない場合であっても、電源処理部１０−３は動作し、そのために、通信系ＣＰＵ１０−２は動作する。また、電源処理部１０−３は、充電器（図示せず）が装置に接続された場合、充電器から供給される電力によって充電池を適切に充電する制御を行う。
【００１４】
図３は、ＵＩ系処理部２０の構成を示すブロック図である。このＵＩ系処理部２０は、ＵＩ系処理部２０全体の制御を行い、通信制御部１１と接続されるＵＩ制御部２１と、表示部２２と、フレームバッファ２２ａと、入力装置２３と、ＬＥＤ（Light Emitting Diode）部２４と、電波品質ピクト選択部２５と、電波品質ピクト記憶部２６と、時刻アラーム部２７とを備える。電波品質ピクト記憶部２６には、電波品質ピクト２６ａが記憶される。
【００１５】
更に、このＵＩ系処理部２０は、ＵＩ系ＣＰＵ２０−２を備え、ＵＩ制御部２１と、電波品質ピクト選択部２５と、時刻アラーム部２７とは、ＵＩ系ＣＰＵ２０−２を利用するプログラムによって構成される。これらのＵＩ系ＣＰＵ２０−２を利用する各部が動作しない場合、ＵＩ系ＣＰＵ２０−２は、動作を停止する。そして、これらの各部が動作を開始する際、ＵＩ系ＣＰＵ２０−２は、起動されて動作を開始する。
【００１６】
上記のように構成された、本発明の実施形態に係る移動通信端末装置の各部の動作を図２及び図３を参照して説明する。
【００１７】
通信制御部１１は、着信信号を受信した場合、その着信信号をＵＩ制御部２１へ送る。また、ＵＩ制御部２１から送信された発呼信号及び着呼信号を、送受信部１３を制御して、送信させる。また、通信系処理部１０内の各部と、ＵＩ系処理部２０内の各部との通信を仲介する。
【００１８】
通信部１２ｂは、アンテナ１２ａによって受信された高周波信号を送受信部１３へ出力し、また、送受信部１３から出力された高周波信号をアンテナ１２ａより送信する。
【００１９】
送受信部１３は、通信部１２ｂからの高周波信号を増幅、周波数変換及び復調し、それによってデジタル信号を得て、得られた通話音声信号を通話部１４ｃに、着信信号を含む制御信号を通信制御部１１に送る。更に、通信部１２ｂからの高周波信号によってアンテナ１２ａによって受信された電波の品質を測定する。
【００２０】
更には、送受信部１３は、デジタル信号、即ち、通話部１４ｃから出力された通話音声信号、及び通信制御部１１から出力された制御信号を変調、周波数変換及び増幅し、高周波信号を得て、それを通信部１２ｂに送って送信させる。
【００２１】
通話部１４ｃは、送受信部１３から出力されたデジタル音声信号をアナログ音声信号に変換し、それを増幅してスピーカ１４ａに送る。また、マイクロフォン１４ｂから出力されたアナログ音声信号を増幅し、それをデジタル音声信号に変換して送受信部１３に送信する。
【００２２】
間欠受信部１５は、所定の間欠起床周期、例えば、５．１２秒毎に行われる通信制御部１１のタイマ処理に従い、通信制御部１１によって起動されて間欠受信動作を開始する。そして、送受信部１３を制御して、基地局から送信された電波を受信させ、着信信号が含まれている場合、その信号が受信されたことを通信制御部１１に通知させる。また、基地局から送信された電波の品質が所定の値より悪い場合、基地局の再選択、または、ハンドオーバを行う。そして、電波品質レベル決定部１６を起動する。
【００２３】
電波品質レベル決定部１６は、間欠受信部１５によって起動され、即ち、間欠受信の度に起動され、送受信部１３によって測定された電波の品質、即ち、その電波の強度（ＲＳＳＩ、Received Signal Strength Indicator）から、電波の品質レベルを決定する。この決定の際、電波品質データ記憶部１７に記憶された情報を参照し、また、更新する。
【００２４】
そして、決定された品質レベルが、ＵＩ制御部２１に直近の過去に通知した品質レベルと異なる場合、電波品質レベル決定部１６は、その品質レベルをＵＩ制御部２１に通知して動作を終了する。この通知の際、ＵＩ系ＣＰＵ２０−２が動作を停止していれば、動作を開始させる。決定された品質レベルが、ＵＩ制御部２１に直近の過去に通知した品質レベルと同じ場合、電波品質レベル決定部１６は、動作を終了する。
【００２５】
ＵＩ制御部２１は、通信制御部１１から着信信号を受信した場合、その信号を受信したことを着信報知に用いられる第２のスピーカ（図示せず）に着信音を出力させて報知する。また、入力装置２３の所定の操作によって着呼操作と、発呼操作とがされた場合、それぞれ、着呼信号と、発呼信号とを通信制御部１１に送る。
【００２６】
更に、着信信号が受信され、入力装置２３の所定の操作によって着呼操作がされないまま所定の時間が経過した場合、ＵＩ制御部２１は、ＬＥＤ部２４を間欠点灯させて、着呼されなかった着信、即ち、不在着信があることを報知する。なお、装置が電子メール送受信部（図示せず）を有し、ＵＩ制御部２１は、未読メールがあることを同様に報知する。また、不在着信と、未読メールとがある場合も同様に報知し、以後、これらの報知を、不在着信等があることの報知と称する。
【００２７】
この間欠的な点灯のそれぞれ、即ち、短い時間に渡る点灯を開始させるために、ＵＩ制御部２１は、ＵＩ制御部２１のタイマ処理を用いる。また、ＵＩ制御部２１は、ＵＩ系処理部２０内の各部と、通信系処理部１０内の各部との通信を仲介する。
【００２８】
表示部２２は、例えば、ＬＣＤ（Liquid Crystal Display）であり、ＵＩ制御部２１に制御されることで、フレームバッファ２２ａに記憶された文字・数字や映像データの表示動作を開始する。ＵＩ制御部２１から表示の制御を受けた後のＵＩ制御部２１の動作に依存せず、この表示動作は継続される。また、ＵＩ制御部２１に制御されることで表示動作を終了する。
【００２９】
入力装置２３は、通信相手の電話番号などを指定するための数字キーと複数の機能キーを含むキーからなる。そして、入力装置２３のキーが操作されると、そのキーの識別子がＵＩ制御部２１に通知され、ＵＩ制御部２１によって、表示部２２に文字として表示され、または、制御が行われる。ここで、ＵＩ制御部２１は、制御信号を送信することにより、制御を通信制御部１１に行わせることもある。
【００３０】
電波品質ピクト選択部２５は、電波品質レベル決定部１６から通知された品質レベルを受信すると、電波品質ピクト２６ａを参照して、その品質レベルに応じたピクト画像を選択し、選択されたピクト画像をフレームバッファ２２ａに記憶させる。このピクト画像を含むフレームバッファ２２ａに記憶された画像は、ＵＩ制御部２１の制御によって、表示部２２に表示される。
【００３１】
時刻アラーム部２７は、入力装置２３の所定のキー操作によって時刻を入力し、入力された時刻を時刻アラーム動作の属性として記憶する。そして、その時刻が到来すると、時刻アラーム部２７は、起動されて動作を開始し、所定のアラーム音を第２のスピーカから出力させる。また、所定のアラーム画像をフレームバッファ２２ａに記憶させ、ＵＩ制御部２１に通知して、所定のアラーム画像を含むフレームバッファ２２ａに記憶された画像を表示部２２に表示させる。この所定の時刻の到来によって動作を開始する処理のため、時刻アラーム部２７は、ＵＩ制御部２１のタイマ処理を用いる。
【００３２】
以下、本発明の実施形態に係わる移動通信端末装置のＣＰＵを起動する回数を削減する処理を説明する。
【００３３】
図４は、電波品質データ記憶部１７に記憶される電波品質履歴１７ａの構成の一例を示す。この電波品質履歴１７ａは、履歴番号１７ｄと、電波品質１７ｅと、平均化電波品質１７ｆとが関連付けられた情報からなる。
【００３４】
履歴番号１７ｄは、「０」から「３」までの自然数であり、電波品質履歴１７ａは、４組の関連付けられた情報からなる。「０」である履歴番号１７ｄは、その履歴番号１７ｄに関連付けられた情報は、最新の間欠受信の際に得られた電波品質の情報であることを示し、「１」である履歴番号１７ｄは、その履歴番号１７ｄに関連付けられた情報は、前回の間欠受信の際に得られた電波品質の情報であることを示す。
【００３５】
以下、同様に、「２」は、前々回の間欠受信の際に得られた、「３」は、３回前の間欠受信の際に得られた電波品質の情報であることを示す。なお、この実施形態では、電波品質履歴１７ａは、４組の関連付けられた情報からなるとしたが、これに限るものではない。より少ない組の情報からなっても良く、より多い組の情報からなっても良い。
【００３６】
電波品質１７ｅは、各回の間欠受信の際に得られた電波品質である。平均化電波品質１７ｆは、各回の間欠受信の際に、その回の間欠受信の際に得られた電波品質、及び、その回より前の間欠受信の際に得られた電波品質を加重平均することによって算出された電波品質である。なお、後述するように、平均化電波品質１７ｆは、「０」である履歴番号１７ｄと関連付けられた情報と、「１」である履歴番号１７ｄと関連付けられた情報のみが用いられるので、その他の履歴番号１７ｄと関連付けられた情報は、記憶されなくとも良い。
【００３７】
なお、図４では、履歴番号１７ｄと、電波品質１７ｅと、平均化電波品質１７ｆとが連続して記憶され、かつ、関連付けられた情報が連続して記憶されるように図示したが、これは理解を容易にするためであって、これに限るものではない。例えば、離散して記憶され、離散した部分の間をポインターで結ぶ構成としても良い。
【００３８】
図５は、電波品質データ記憶部１７に記憶される品質レベル閾値１７ｂの構成の一例を示す。この品質レベル閾値１７ｂは、品質レベル１７ｇと、電波品質基本範囲１７ｈと、電波品質上昇時範囲１７ｉと、電波品質下降時範囲１７ｊとが関連付けられた情報からなる。
【００３９】
品質レベル１７ｇは、電波の品質レベルであって、「０」から「４」までの５つの整数値のいずれかの値であり、品質レベル閾値１７ｂは、５組の関連付けられた情報からなる。品質レベル１７ｇは、より大きい整数がより良い品質であり、より小さい整数がより悪い品質であることを示す。
【００４０】
電波品質基本範囲１７ｈは、２つの電波品質を示す値（値には、−∞と、＋∞とを含む。）からなり、電波品質履歴１７ａの平均化電波品質１７ｆがこれらの２つの電波品質を示す値の間であれば、その電波品質のレベルは、その電波品質基本範囲１７ｈと関連付けられた品質レベル１７ｇの値であることが基本であることを示す。
【００４１】
図５に例示した電波品質基本範囲１７ｈを参照すると、平均化電波品質１７ｆが−２５ｄＢｍ以上（言い換えると、−２５ｄＢｍから、＋∞までの間。）であれば、品質レベル１７ｇは「４」、即ち、最高レベルと判断され、平均化電波品質１７ｆが−５０ｄＢｍから−２５ｄＢｍの間であれば、品質レベル１７ｇは「３」であると判断される。また、平均化電波品質１７ｆが−１００ｄＢｍ以下（言い換えると、−∞から、−１００ｄＢｍまでの間。）であれば、品質レベル１７ｇは「０」、即ち、最低レベルであると判断される。
【００４２】
ここで、平均化電波品質１７ｆの値である、例えば−２５ｄＢｍは、品質レベル１７ｇが「４」と判断されるか、「３」と判断されるかの閾値となる。そのため、平均化電波品質１７ｆが−２５ｄＢｍの前後、例えば、−２４ｄＢｍと、−２６ｄＢｍとの間を頻繁に変化した場合、品質レベル１７ｇが「４」と判断され、また「３」と判断され、品質レベル１７ｇの変化が頻繁に発生し、後述するように好ましくない。
【００４３】
そこで、品質レベル１７ｇの変化が頻繁に発生しない処理のため、品質レベル閾値１７ｂは、電波品質基本範囲１７ｈに併せて、電波品質上昇時範囲１７ｉと、電波品質下降時範囲１７ｊとを品質レベル１７ｇに関連付けられた情報とする構成である。
【００４４】
即ち、電波品質上昇時範囲１７ｉは、電波品質基本範囲１７ｈに記憶された値の全てに５ｄＢｍを加えた値であり、平均化電波品質１７ｆの値が上昇している際に品質レベル１７ｇを判断する際に用いられる。一方、電波品質下降時範囲１７ｊは、電波品質基本範囲１７ｈに記憶された値の全てから５ｄＢｍを減じた値であり、平均化電波品質１７ｆの値が下降している際に品質レベル１７ｇを判断する際に用いられる。
【００４５】
これらの電波品質上昇時範囲１７ｉと、電波品質下降時範囲１７ｊとを参照して品質レベル１７ｇを判断することにより、平均化電波品質１７ｆがわずかな変化をすることにより、品質レベル１７ｇが頻繁に変化することを防ぐ、即ち、ヒステリシス特性を得ることができる。
【００４６】
なお、図５では、品質レベル１７ｇと、電波品質基本範囲１７ｈと、電波品質上昇時範囲１７ｉと、電波品質下降時範囲１７ｊとが連続して記憶され、かつ、関連付けられた情報が連続して記憶されるように図示したが、これは理解を容易にするためであって、これに限るものではない。例えば、離散して記憶され、離散した部分の間をポインターで結ぶ構成としても良い。
【００４７】
図６は、電波品質データ記憶部１７に記憶される品質レベル履歴１７ｃの構成の一例を示す。この品質レベル履歴１７ｃは、１つの品質レベルからなり、前回の間欠受信の際に決定された品質レベル１７ｇである。
【００４８】
図７は、電波品質ピクト記憶部２６に記憶される電波品質ピクト２６ａの構成の一例を示す。この電波品質ピクト２６ａは、品質レベル２６ｂと、ピクト画像２６ｃとが関連付けられた情報からなる。
【００４９】
品質レベル２６ｂは、品質レベル閾値１７ｂの品質レベル１７ｇと同じく、「０」から「４」までの５つの整数値のいずれかの値であり、電波品質ピクト２６ａは、５組の関連付けられた情報からなる。
【００５０】
ピクト画像２６ｃは、「０」から「４」の品質レベル２６ｂのそれぞれに関連付けられて、「圏外」なる文字である画像、アンテナ状の線画である画像、アンテナ状の線画及び１本の縦棒である画像、アンテナ状の線画及び２本の縦棒である画像、アンテナ状の線画及び３本の縦棒である画像である。
【００５１】
なお、図７では、品質レベル２６ｂと、ピクト画像２６ｃとが連続して記憶され、かつ、関連付けられた情報が連続して記憶されるように図示したが、これは理解を容易にするためであって、これに限るものではない。例えば、離散して記憶され、離散した部分の間をポインターで結ぶ構成としても良い。
【００５２】
また、ピクト画像２６ｃは、画像情報であって、記憶するために、品質レベル２６ｂを記憶するための記憶容量と比較して大きい記憶容量を要する。そのため、上記画像情報は画像情報を記憶する専用領域に記憶され、ピクト画像２６ｃには、その領域のアドレスが記憶されるとしても良い。また、上記画像情報はファイルとして記憶され、ピクト画像２６ｃには、そのファイル名が記憶されるとしても良い。
【００５３】
次に、電波品質レベル決定部１６の動作を説明する。図８は、電波品質レベル決定部１６の動作のフローチャートを示す。電波品質レベル決定部１６は、間欠受信部１５によって起動され、即ち、間欠受信の一環として起動されて動作を開始し（ステップＳ１０１）、送受信部１３から電波の強度を受信する（ステップＳ１０２）。
【００５４】
次に、電波品質レベル決定部１６は、一時的な電波強度の変化によって電波の品質レベルの判断を変化させることのないように、電波強度の平均化処理、即ち、新たに受信された電波強度と、過去に受信された電波強度との加重平均値を算出する（ステップＳ１０３）。
【００５５】
過去に受信された電波強度を受信された順序を保持して記憶させるため、まず、電波品質レベル決定部１６は、電波品質履歴１７ａに、「２」なる履歴番号１７ｄと関連付けられていた電波品質１７ｅと、平均化電波品質１７ｆとを、「３」なる履歴番号１７ｄと関連付けられて記憶させる。
【００５６】
次に、電波品質レベル決定部１６は、「１」なる履歴番号１７ｄと関連付けられていた電波品質１７ｅと、平均化電波品質１７ｆとを、「２」なる履歴番号１７ｄと関連付けられて記憶させる。更に、「０」なる履歴番号１７ｄと関連付けられていた電波品質１７ｅと、平均化電波品質１７ｆとを、「１」なる履歴番号１７ｄと関連付けられて記憶させる。
【００５７】
そして、電波品質レベル決定部１６は、「０」なる履歴番号１７ｄと関連付けられた電波品質１７ｅに、ステップＳ１０２で受信された電波強度を記憶させる。次に、「０」〜「３」なる履歴番号１７ｄと関連付けられた電波品質１７ｅ、即ち、新たに受信された電波強度と、直近の過去３回の間欠受信の際に受信された電波強度との加重平均値を算出して、「０」なる履歴番号１７ｄと関連付けられた平均化電波品質１７ｆに記憶させる。
【００５８】
なお、直近の過去３回の間欠受信の際に受信された電波強度が記憶されていない場合、電波品質レベル決定部１６は、記憶されていない強度を用いることなく、加重平均値を算出する。過去に受信された電波強度が全く記憶されていない場合、電波品質レベル決定部１６は、新たに受信された電波強度を加重平均値とみなす（図示せず）。
【００５９】
次に、電波品質レベル決定部１６は、新たに算出された平均化電波品質１７ｆ、即ち、「０」なる履歴番号１７ｄと関連付けられた平均化電波品質１７ｆと、前回の間欠受信の際に算出された平均化電波品質１７ｆ、即ち、「１」なる履歴番号１７ｄと関連付けられた平均化電波品質１７ｆとから、品質レベル閾値１７ｂを参照して、電波の品質レベルを決定する。この決定の際、ヒステリシス処理を伴って行い、品質レベルの無用な変化を抑制する（ステップＳ１０４）。
【００６０】
即ち、新たに算出された平均化電波品質１７ｆが前回の間欠受信の際に算出された平均化電波品質１７ｆより大きい場合、電波品質レベル決定部１６は、新たに算出された平均化電波品質１７ｆが含まれる電波品質上昇時範囲１７ｉを検索する。そして、検索された電波品質上昇時範囲１７ｉと関連付けられた品質レベル１７ｇの値を品質レベルと決定する。
【００６１】
一方、新たに算出された平均化電波品質１７ｆが前回の間欠受信の際に算出された平均化電波品質１７ｆより小さい場合、電波品質レベル決定部１６は、新たに算出された平均化電波品質１７ｆが含まれる電波品質下降時範囲１７ｊを検索する。そして、検索された電波品質下降時範囲１７ｊと関連付けられた品質レベル１７ｇの値を品質レベルと決定する。
【００６２】
なお、直前の過去の間欠受信の際に算出された平均化電波品質１７ｆ、即ち、「１」なる履歴番号１７ｄと関連付けられた平均化電波品質１７ｆが記憶されていない場合、ヒステリシス特性を得ることができないので、電波品質レベル決定部１６は、新たに算出された平均化電波品質１７ｆが含まれる電波品質基本範囲１７ｈを検索する。そして、検索された電波品質基本範囲１７ｈと関連付けられた品質レベル１７ｇの値を品質レベルと決定する（図示せず）。
【００６３】
また、品質レベル閾値１７ｂは、電波品質上昇時範囲１７ｉと電波品質下降時範囲１７ｊとを含まず、電波品質基本範囲１７ｈのみを含むとしても良い。この場合、電波品質レベル決定部１６は、電波品質上昇時範囲１７ｉに相当する値と、電波品質下降時範囲１７ｊに相当する値とを、電波品質基本範囲１７ｈから間欠受信の度に算出すれば良い。
【００６４】
次に、電波品質レベル決定部１６は、決定された品質レベルは、前回の間欠受信の際に決定された品質レベルと同じか否かを判断する（ステップＳ１０５）。前回の間欠受信の際に決定された品質レベルは、品質レベル履歴１７ｃとして電波品質データ記憶部１７に記憶されているので、この同じか否かを判断するには、品質レベル履歴１７ｃを参照する。
【００６５】
なお、前回の間欠受信の際に決定された品質レベルが品質レベル履歴１７ｃとして電波品質データ記憶部１７に記憶されていない場合、電波品質レベル決定部１６は、決定された品質レベルは、前回の間欠受信の際に決定された品質レベルとは異なると判断する（図示せず）。
【００６６】
同じである場合、電波品質レベル決定部１６は、動作を終了する（ステップＳ１０６）。一方、異なる場合、決定された品質レベルを電波品質ピクト選択部２５に通知し（ステップＳ１０７）、決定された品質レベルを品質レベル履歴１７ｃとして記憶させ（ステップＳ１０８）、動作を終了する（ステップＳ１０６）。
【００６７】
なお、異なる場合で、２レベル以上の差がある場合、即ち、決定された品質レベルと、前回の間欠受信の際に決定された品質レベルとの差が２以上の場合、電波品質レベル決定部１６は、その差が１となるように、決定された品質レベルを前回の間欠受信の際に決定された品質レベルに近づける変更を行い、変更された品質レベルをステップＳ１０７の通知、及びステップＳ１０７の記憶に用いても良い。この近づける処理によれば、品質レベルの急激な変化の表示を緩和して表示することになり、無用なユーザの混乱を避ける効果が得られる。
【００６８】
このステップＳ１０７の品質レベルを電波品質ピクト選択部２５に通知する動作は、通信制御部１１と、ＵＩ制御部２１を経由する。また、ＵＩ系ＣＰＵ２０−２が動作していない場合、そのＣＰＵを起動させる。そこで、消費電力削減のためには、この通知の回数は少ないことが好ましい。上記説明した電波品質レベル決定部１６の動作によれば、ステップＳ１０３の平均化処理及びステップＳ１０４のヒステリシス処理によって、通知の回数が最少化される。
【００６９】
なお、ステップＳ１０５で、電波品質レベル決定部１６は、決定された品質レベルと、前回の間欠受信の際に決定された品質レベルとが同じか否かを判断するとした。これは、決定された品質レベルと、直前に電波品質ピクト選択部２５に通知した品質レベルとが同じか否かを判断することと等価である。なぜなら、直前に品質レベルを電波品質ピクト選択部２５に通知した後、決定された品質レベルが変化したならば、その変化された品質レベルは、電波品質ピクト選択部２５に通知されているからである。
【００７０】
次に、ＵＩ制御部２１のタイマ処理の動作を説明する。図９は、ＵＩ制御部２１のタイマ処理の動作のフローチャートを示す。ＵＩ制御部２１は、タイマ機能使用の要求を受けてタイマ処理の動作を開始し（ステップＳ２０１）、タイマ機能の種類を判断する（ステップＳ２０２）。
【００７１】
タイマ機能の種類が時刻アラーム部２７からの指定の時刻の到来の際のアラーム、即ち、時刻アラーム部２７を起動させ、動作を開始させるものである場合、ＵＩ制御部２１は、指定された時刻にタイムアウトするタイマを設定する（ステップＳ２０３）。そして、タイムアウトを待ち、タイムアウトの際、時刻アラーム部２７の動作を開始させて（ステップＳ２０４）、タイマ処理の動作を終了する（ステップＳ２０５）。
【００７２】
一方、タイマ機能の種類が不在着信等があることを報知するためのＬＥＤ部２４の間欠点灯である場合、ＵＩ制御部２１は、次回に間欠受信部１５が間欠受信する時刻にタイムアウトするタイマを設定する（ステップＳ２０６）。そして、タイムアウトを待ち、タイムアウトの際、ＬＥＤ部２４の点灯を開始させ、短い所定時間が経過した後、ＬＥＤ部２４を消灯させて（ステップＳ２０７）、ステップＳ２０６のタイマを設定する動作に移る。このＬＥＤ部２４を間欠点灯させる動作は、入力装置２３の所定のキー操作がされた場合、タイマ処理の動作を終了する（図示せず）。
【００７３】
間欠受信部１５が間欠受信する時刻は、通信制御部１１がＵＩ制御部２１に通知することによって、ＵＩ制御部２１が用いることができる。通信制御部１１がＵＩ制御部２１に通知する動作は、例えば、電波品質レベル決定部１６が品質レベルを電波品質ピクト選択部２５に通知する際に行う。そして、ＵＩ制御部２１は、その通知された時刻に間欠受信周期に正の整数を乗じた数を加えることによって、間欠受信部１５が間欠受信する全ての時刻を用いることができる。この処理によれば、上記通知のために、ＵＩ系ＣＰＵ２０−２が起動される回数が増加することはない。
【００７４】
上記説明したタイマ処理において、タイムアウトする時刻を間欠受信部１５が間欠受信する時刻に設定することにより、タイムアウトする際、通信系ＣＰＵ１０−２は動作している。そこで、タイムアウトする際に、ＵＩ系ＣＰＵ２０−２が動作することによって電源処理部１０−３の動作が必要になり、電源処理部１０−３のみを動作させるために通信系ＣＰＵ１０−２を起動する処理が不要となり、消費電力削減の効果が得られる。
【００７５】
一方、タイムアウトする時刻を任意の時刻に設定することにより、タイムアウトする際、電源処理部１０−３のみを動作させるために通信系ＣＰＵ１０−２を起動する処理が行われる可能性がある。しかし、例えば、時刻アラーム部２７は、タイムアウト後、動作を続けるので、電源処理部１０−３の動作を引き続き必要とし、即ち、通信系ＣＰＵ１０−２の動作を引き続き必要とする。そこで、タイムアウトする時刻を任意の時刻に設定することによる消費電力の増大はない。
【００７６】
上記説明した例では、タイマ機能の種類は、指定の時刻の到来の際、時刻アラーム部２７を起動させるものと、ＬＥＤ部２４を間欠点灯させるものとしたが、タイマ機能の種類は、当然にこれらに限るものではない。
【００７７】
タイムアウトする時刻を任意の時刻に設定することが適切な例として、ニュース配信サーバ装置（図示せず）から配信されるニュースを受信する処理部（図示せず）の起動がある。このニュースの配信が行われる時刻は、ニュース配信サーバ装置から指定される。そこで、その指定された時刻の到来の際、ニュースを受信する処理部を起動させることが適切であるからである。
【００７８】
一方、間欠して行われる動作のためのタイマ機能においては、タイムアウトする時刻を間欠受信部１５が間欠受信する時刻に設定することが有効である。間欠して行われる動作の間欠周期が、間欠受信の周期と異なる場合においても、少ないとは言え、必ず消費電力の削減効果が得られる。また、上記間欠して行われる動作の間欠周期を、間欠受信の周期の整数倍、または、整数で除した商とすることにより、消費電力の削減効果は大きい。
【００７９】
なお、間欠して行われる動作であって、その動作が間欠受信部１５が間欠受信する時刻に行われるとすることが有効な他の例は、例えば、ＵＩ系処理部２０が近距離無線通信部（図示せず）を有し、その近距離無線通信部が通信相手、例えば、ハンズフリー通話装置との間で装置の状態を示す情報を送受する例がある。ここでいう装置の状態を示す情報には、装置が待ち受け状態にある旨の情報、電波品質レベル決定部１６によって決定された品質レベル、あるいは装置の充電池に蓄えられた電力の残量などがある。
【００８０】
次に、電波品質ピクト選択部２５の動作を説明する。図１０は、電波品質ピクト選択部２５の動作のフローチャートを示す。電波品質ピクト選択部２５は、品質レベルの通知によってＵＩ制御部２１に起動されて動作を開始し（ステップＳ３０１）、通知された品質レベルと品質レベル２６ｂとが等しい情報を電波品質ピクト２６ａから検索する（ステップＳ３０２）。
【００８１】
電波品質ピクト選択部２５は、この検索によって得られた関連付けられた情報のピクト画像２６ｃを得て、そのピクト画像２６ｃをフレームバッファ２２ａの所定のアドレスに記憶させて（ステップＳ３０３）、動作を終了する（ステップＳ３０４）。
【００８２】
この電波品質ピクト選択部２５の動作により、表示部２２が表示をする際には、装置が受信した電波強度に対応した画像が表示される。図１１は、電波強度に対応した画像が表示された状況の一例を示す。図１１では、表示部２２の最上部であるピクト欄２２ｂの最左部にピクト画像２２ｃが表示されている。このピクト画像２２ｃとして、「３」である品質レベル２６ｂと関連付けられて電波品質ピクト２６ａに記憶されたピクト画像２６ｃを例示した。
【００８３】
また、表示部２２が表示をしていない場合であっても、常にフレームバッファ２２ａに適切なピクト画像２６ｃが記憶されているので、表示部２２が表示を開始した際、直ちに適切なピクト画像２６ｃが表示される。
【００８４】
なお、ＵＩ系処理部２０が第２のフレームバッファ（図示せず）に記憶された画像を表示する第２の表示部（図示せず）を備え、ＵＩ制御部２１が第２の表示部に表示をさせるか否かを制御する場合、電波品質ピクト選択部２５は、第２のフレームバッファに適切なピクト画像を記憶させることによって、第２の表示部にも適切なピクト画像が表示される。
【００８５】
第２の表示部に表示されるピクト画像は、表示部２２に表示されるピクト画像と異なっていても良い。異なる場合、電波品質ピクト２６ａに、品質レベル２６ｂと関連付けて、更に、第２の表示部に表示されるピクト画像を記憶させれば良い。
【００８６】
以上説明した、装置が行う消費電力を削減する処理を取りまとめる。装置が待ち受け状態にあり、間欠受信動作を行っている際、通信系ＣＰＵ１０−２は、間欠受信動作のために欠かせない所定の電力を消費する。しかし、その所定の消費電力以外に消費される電力を削減する動作を説明した。即ち、電波品質レベル決定部１６は、決定された品質レベルを電波品質ピクト選択部２５に通知し、その通知の結果、ＵＩ系ＣＰＵ２０−２を起動させることを少ない回数に止めることによって、ＵＩ系ＣＰＵ２０−２によって消費される電力を削減する。
【００８７】
また、ＵＩ系ＣＰＵ２０−２で、タイマ処理を使用してＵＩ制御部２１がＬＥＤ部２４を点灯させる動作を行う際、その動作に伴い、通信系ＣＰＵ１０−２が起動されていない場合、通信系ＣＰＵ１０−２を起動させる。そこで、ＬＥＤ部２４を点灯させる時刻を、間欠受信動作のために通信系ＣＰＵ１０−２が動作している時刻に合わせることにより、ＬＥＤ部２４の点灯に伴い、通信系ＣＰＵ１０−２が起動される回数を削減する。この削減によって通信系ＣＰＵ１０−２によって消費される電力を削減する。
【００８８】
なお、時刻アラーム部２７を起動させる時刻は、ユーザの指定に係るものであり、間欠受信動作のために通信系ＣＰＵ１０−２が動作している時刻に合わせることは妥当ではなく、ユーザが指定した時刻の通りとすることによって、ユーザの利便性を損なうことがない。
【００８９】
なお、以上の説明では、ＵＩ制御部２１の動作に伴って通信系ＣＰＵ１０−２が起動される理由は、装置の各部に電力を供給する制御を行う電源処理部１０−３が通信系ＣＰＵ１０−２を利用して動作するからであるとし、その結果、ＵＩ制御部２１の動作は、通信系ＣＰＵ１０−２が間欠受信動作を行っている際に行うことにより消費電力の削減が可能であるとした。
【００９０】
しかし、これに限るものではない。例えば、電源処理部１０−３が通信系ＣＰＵ１０−２を利用せず、ＵＩ系ＣＰＵ２０−２を利用して動作する場合であっても、同じである。即ち、通信系処理部１０が間欠受信動作することによって電源処理部１０−３の動作を必要とし、その結果、ＵＩ系ＣＰＵ２０−２が動作している際にＵＩ制御部２１が動作すると、ＵＩ系ＣＰＵ２０−２を新たに起動する必要がなく、消費電力の削減が可能である。
【００９１】
また、例えば、電源処理部１０−３は、通信系ＣＰＵ１０−２を利用せず、かつ、ＵＩ系ＣＰＵ２０−２を利用しない、言い換えると、電源処理部１０−３は、通信系処理部１０から独立し、かつ、ＵＩ系処理部２０から独立している場合、同じ効果が得られる。
【００９２】
即ち、この場合、ＵＩ制御部２１の動作に伴って、電源処理部１０−３が起動される。そこで、ＵＩ制御部２１の動作は、通信系ＣＰＵ１０−２が動作を行っていることによって電源処理部１０−３が起動されている場合に行うことにより、電源処理部１０−３によって消費される電力の削減が可能である。
【００９３】
次に、電波品質レベル決定部１６は、決定された品質レベルを電波品質ピクト選択部２５に通知し、または、通知しないことによって、ＵＩ系ＣＰＵ２０−２によって消費される電力が削減される状況を説明する。図１２は、電波品質レベル決定部１６が決定された品質レベルを電波品質ピクト選択部２５に通知し、または、通知しない状況を示すタイミング図であり、図１２（ａ）は、通知しない場合を、図１２（ｂ）は、通知する場合を示す。
【００９４】
通信系ＣＰＵ１０−２を利用する電波品質レベル決定部１６は、間欠受信の度に、電波強度の受信（Ｔ４０１、図８に示すフローチャートのステップＳ１０２に対応する。）、平均化処理（Ｔ４０２、図８に示すフローチャートのステップＳ１０３に対応する。）、ヒステリシス処理（Ｔ４０３、図８に示すフローチャートのステップＳ１０４に対応する。）を行って、品質レベルを決定する。
【００９５】
次に、決定された品質レベルが前回の間欠受信の際に決定されたものと同じ場合、電波品質レベル決定部１６は、図１２（ａ）に示すように、動作を終了する。一方、決定された品質レベルが前回の間欠受信の際に決定されたものと異なる場合、電波品質レベル決定部１６は、図１２（ｂ）に示すように、続いて、決定された品質レベルを通知する（Ｔ４０４、図８に示すフローチャートのステップＳ１０７に対応する。）。
【００９６】
この通知の結果、ＵＩ系ＣＰＵ２０−２を利用する電波品質ピクト選択部２５は、通知された品質レベルを受信し、その品質レベルに従ってピクト画像２６ｃの選択を行う（Ｔ４０５、図１０に示すフローチャートに対応する。）。即ち、ＵＩ系ＣＰＵ２０−２は、起動されて、動作する。
【００９７】
図１２（ａ）と図１２（ｂ）とを比較すれば明らかなように、電波品質レベル決定部１６が決定された品質レベルを電波品質ピクト選択部２５に通知しないことによって、ＵＩ系ＣＰＵ２０−２は起動されず、ＵＩ系ＣＰＵ２０−２による電力の消費はない。
【００９８】
次に、ＵＩ制御部２１は、ＬＥＤ部２４を点灯させる時刻を、通信系処理部１０によって間欠受信が行われている時刻に合わせることにより、通信系ＣＰＵ１０−２によって消費される電力が削減される状況を説明する。図１３は、ＵＩ制御部２１がＬＥＤ部２４を点灯させる時刻と、通信系処理部１０による間欠受信動作が行われている時刻とを対比して示すタイミング図である。
【００９９】
ＵＩ系ＣＰＵ２０−２を利用するＵＩ制御部２１は、ＬＥＤ部２４を点灯させる時刻を通信系処理部１０による間欠受信動作が行われている時刻に合わせるために、間欠受信動作が行われている時刻にタイムアウトするようにタイマを設定する。すると、タイムアウトに応じてＵＩ制御部２１がＬＥＤ部２４を点灯させるために、電源処理部１０−３の動作が必要である結果、通信系ＣＰＵ１０−２の動作が必要である。しかし、タイムアウトの際、通信系ＣＰＵ１０−２は、間欠受信動作を行うために動作しており、新たに起動する必要がなく、通信系ＣＰＵ１０−２によって消費される電力が削減される。
【０１００】
次に、電源処理部１０−３が通信系処理部１０に属さず、かつ、ＵＩ系処理部２０に属さない場合、ＵＩ制御部２１は、ＬＥＤ部２４を点灯させる時刻を、通信系処理部１０によって間欠受信が行われている時刻に合わせることにより、電源処理部１０−３によって消費される電力が削減される状況を説明する。図１４は、電源処理部１０−３が動作する時刻と、ＵＩ制御部２１がＬＥＤ部２４を点灯させる時刻と、通信系処理部１０による間欠受信動作が行われている時刻とを対比して示すタイミング図である。
【０１０１】
ＵＩ系ＣＰＵ２０−２を利用するＵＩ制御部２１は、ＬＥＤ部２４を点灯させる時刻を通信系処理部１０による間欠受信動作が行われている時刻に合わせるために、間欠受信動作が行われている時刻にタイムアウトするようにタイマを設定する。ここで、タイムアウトに応じてＵＩ制御部２１がＬＥＤ部２４を点灯させるために、電源処理部１０−３の動作が必要である。
【０１０２】
このタイムアウトの際、通信系ＣＰＵ１０−２は間欠受信動作を行うために動作している結果、電源処理部１０−３は動作している。即ち、ＵＩ制御部２１がＬＥＤ部２４を点灯させるために電源処理部１０−３を動作させる必要はなく、電源処理部１０−３によって消費される電力が削減される。
【０１０３】
以上の説明では、電波品質履歴１７ａと、品質レベル閾値１７ｂと、品質レベル履歴１７ｃとは、電波品質データ記憶部１７に記憶されるとしたが、これに限るものではない。電波品質レベル決定部１６を構成するプログラムに埋め込まれていても良い。また、電波品質ピクト２６ａは、電波品質ピクト記憶部２６に記憶されるとしたが、これに限るものではない。電波品質ピクト選択部２５に埋め込まれていても良い。
【０１０４】
以上の説明では、電波品質レベル決定部１６が平均化処理及びヒステリシス処理を行なうとした（それぞれの処理は、図８に示すフローチャートのステップＳ１０３の動作と、ステップＳ１０４の動作に対応する。）が、これに限るものではない。これらの２つの処理、または、これらの処理の少なくとも１つは、電波品質レベル決定部１６とは異なるプログラムとして備えられても良い。また、異なるタスクとして動作しても良い。
【０１０５】
また、電波品質レベル決定部１６によって行なわれる平均化処理及びヒステリシス処理によって、装置が備えるＣＰＵの数に係わらず、無用なユーザの混乱を避ける効果が得られる。また、平均化処理及びヒステリシス処理の一方、または、両方は、省くことが可能である。本発明は以上の構成に限定されるものではなく、種々の変形が可能である。
【図面の簡単な説明】
【０１０６】
【図１】本発明の実施形態に係る移動通信端末装置の構成を示すブロック図。
【図２】本発明の実施形態に係る通信系処理部の構成を示すブロック図。
【図３】本発明の実施形態に係るＵＩ系処理部の構成を示すブロック図。
【図４】本発明の実施形態に係る電波品質履歴の構成の一例を示す図。
【図５】本発明の実施形態に係る品質レベル閾値の構成の一例を示す図。
【図６】本発明の実施形態に係る品質レベル履歴の構成の一例を示す図。
【図７】本発明の実施形態に係る電波品質ピクトの構成の一例を示す図。
【図８】本発明の実施形態に係る電波品質レベル決定部の動作のフローチャート。
【図９】本発明の実施形態に係るＵＩ制御部のタイマ処理の動作のフローチャート。
【図１０】本発明の実施形態に係る電波品質ピクト選択部の動作のフローチャート。
【図１１】本発明の実施形態に係る表示部に電波強度に対応した画像が表示された状況の一例を示す図。
【図１２】本発明の実施形態に係る電波品質レベル決定部が決定された品質レベルを電波品質ピクト選択部に通知し、または、通知しない状況を示すタイミング図。
【図１３】本発明の実施形態に係るＵＩ制御部がＬＥＤ部を点灯させる時刻と、通信系処理部による間欠受信動作が行われている時刻とを対比して示すタイミング図。
【図１４】本発明の実施形態に係る電源処理部が動作する時刻と、ＵＩ制御部がＬＥＤ部を点灯させる時刻と、通信系処理部による間欠受信動作が行われている時刻とを対比して示すタイミング図。
【符号の説明】
【０１０７】
１０  通信系処理部
１０−２  通信系ＣＰＵ
１０−３  電源処理部
１１  通信制御部
１２ａ  アンテナ
１２ｂ  通信部
１３  送受信部
１５  間欠受信部
１６  電波品質レベル決定部
１７  電波品質データ記憶部
１７ａ  電波品質履歴
１７ｂ  品質レベル閾値
１７ｃ  品質レベル履歴
１７ｄ  履歴番号
１７ｅ  電波品質
１７ｆ  平均化電波品質
１７ｇ、２６ｂ  品質レベル
１７ｈ  電波品質基本範囲
１７ｉ  電波品質上昇時範囲
１７ｊ  電波品質下降時範囲
２０  ＵＩ系処理部
２０−２  ＵＩ系ＣＰＵ
２１  ＵＩ制御部
２２  表示部
２２ａ  フレームバッファ
２２ｂ  ピクト欄
２２ｃ、２６ｃ  ピクト画像
２３  入力装置
２４  ＬＥＤ部
２５  電波品質ピクト選択部
２６  電波品質ピクト記憶部
２６ａ  電波品質ピクト
２７  時刻アラーム部
【図１】
0005386818.tif 000002
【図２】
0005386818.tif 000003
【図３】
0005386818.tif 000004
【図４】
0005386818.tif 000005
【図５】
0005386818.tif 000006
【図６】
0005386818.tif 000007
【図７】
0005386818.tif 000008
【図８】
0005386818.tif 000009
【図９】
0005386818.tif 000010
【図１０】
0005386818.tif 000011
【図１１】
0005386818.tif 000012
【図１２】
0005386818.tif 000013
【図１３】
0005386818.tif 000014
【図１４】
0005386818.tif 000015